(57)【特許請求の範囲】
【請求項１】
複数枚のカードを積層して収納するカード収納カセットと、
前記カード収納カセットに収納された前記複数枚のカードの内の最下層のカードを前記カード収納カセットから外部に引き出すピックアップローラと、
前記カード収納カセットから引き出された前記カードに所望の情報を記録する記録手段と、を備えたカード記録装置において、
前記カード収納カセットは、
前記複数枚のカードが垂直方向に積層した状態で載置されると共に、前記ピックアップローラの進入を許容する底板と、前記底板に垂設され、前記収納した複数枚のカードの前端面をガイドし且つ下方部位に前記最下層のカードを外部に引き出すためのカード引き出し口が開口された前側板と、前記前側板の左右両端とそれぞれ連結して前記底板に垂設され、前記収納した複数枚のカードの左右の端面をそれぞれガイドする左右一対の第１側板と、を有するカセット本体と、
前記カセット本体の前記底板と対向する上方部位を覆う天板と、前記天板に垂下されて前記カセット本体の前記前側板と対向する後方部位を覆う後側板と、前記後側板の左右両端とそれぞれ連結して前記天板に垂下された左右一対の第２側板と、を有するカセットカバーと、を備える一方、
前記第１側板及び前記第２側板の一方側には凹状垂直ガイド溝が形成され、他方側には前記凹状垂直ガイド溝に嵌め込み可能な凸状垂直ガイド壁が形成されており、
前記カード収納カセットは、前記凹状垂直ガイド溝と前記凸状垂直ガイド壁との凹凸嵌合により、前記カセット本体と前記カセットカバーとが箱状に枠組み可能とされ且つその枠組みされた状態から前記カセットカバーを前記カセット本体に対して垂直方向に取り外し自在とされていることを特徴とするカード記録装置。
【請求項２】
複数枚のカードを積層して収納するカード収納カセットと、
前記カード収納カセットに収納された前記複数枚のカードの内の最下層のカードを前記カード収納カセットから外部に引き出すピックアップローラと、
前記カード収納カセットから引き出された前記カードに所望の情報を記録する記録手段と、を備えたカード記録装置において、
前記カード収納カセットは、
前記複数枚のカードが垂直方向に積層した状態で載置されると共に、前記ピックアップローラの進入を許容する底板と、前記底板に垂設され、前記収納した複数枚のカードの前端面をガイドし且つ下方部位に前記最下層のカードを外部に引き出すためのカード引き出し口が開口された前側板と、前記前側板の左右両端とそれぞれ連結して前記底板に垂設され、前記収納した複数枚のカードの左右の端面をそれぞれガイドする左右一対の第１側板と、を有するカセット本体と、
前記カセット本体の前記底板と対向する上方部位を覆う天板と、前記天板に垂下されて前記カセット本体の前記前側板と対向する後方部位を覆う後側板と、前記後側板の左右両端とそれぞれ連結して前記天板に垂下された左右一対の第２側板と、前記左右一対の第２側板に支持され前記天板に対して離接する方向に移動自在とされた錘と、を有するカセットカバーと、を備える一方、
前記第１側板及び前記第２側板の一方側には凹状垂直ガイド溝が形成され、他方側には前記凹状垂直ガイド溝に嵌め込み可能な凸状垂直ガイド壁が形成されており、
前記カード収納カセットは、前記凹状垂直ガイド溝と前記凸状垂直ガイド壁との凹凸嵌合により、前記カセット本体と前記カセットカバーとが箱状に枠組み可能とされ且つその枠組みされた状態から前記カセットカバーを前記錘を支持したまま前記カセット本体に対して垂直方向に取り外し自在とされていることを特徴とするカード記録装置。
【発明の詳細な説明】
【技術分野】
【０００１】
本発明は、カードに文字，画像，磁気情報などの所望の情報を記録するためのカード記録装置及びカード面を略水平にして複数枚（多数枚）のカードが垂直方向に積層されて最下層のカードを外部に設けたピックアップローラにより引き出すためのカード収納カセットに関するものである。
【背景技術】
【０００２】
カード時代の到来と共に各種のカードが多用されており、例えば、カードの表面に顔写真などの画像を印刷したＩＤカード（カード型身分証明書）とか、ＩＣメモリ付きのクレジットカードとか、バンクカードとか、各種のプリペイカードなどがある。
【０００３】
ところで、多数枚のカード上にそれぞれ所望の情報を記録して各カードを連続的に作製したり、あるいは、各種のカードを使用者に自動的に渡す場合に、カード面を略水平にして多数枚のカードが垂直方向に積層されて、最下層のカードが外部に設けたピックアップローラの回転により引き出し可能に構成されたカード収納カセットが用いられていると共に、このカード収納カセットを用いた印刷装置などが知られているが、この種のカード収納カセットの一例として垂直方向に２分割して箱状に組み立てたシート収納マガジン（カード収納カセットと等価）及びこのシート収納マガジンを用いた印刷装置が開示されている（例えば、特許文献１参照）。
【０００４】
図１１は従来の印刷装置及びシート収納マガジンの概略構成を示した構成図、図１２は図１１に示した従来のシート収納マガジンを示した斜視図である。
【０００５】
図１１に示した従来の印刷装置１００及びシート収納マガジン２００は、上記した特許文献１（特開平１１−２２７９５３号公報）に開示されているものであり、ここでは特許文献１を参照して簡略に説明する。
【０００６】
図１１に示した印刷装置１００では、外装を担う外装筐体１０１内でシート搬送経路１０２上の最上流位置にシート収納マガジン２００が着脱自在に載置されている。
【０００７】
上記したシート収納マガジン２００は、図１２にも示したように、垂直方向に沿って縦割りに分離した本体２０１と蓋２０２とが不図示の取付部材によって一体的に箱状に組み立てられており、このシート収納マガジン２００内で本体２０１の底板２０１ａ上にカード状の受像シートＳが平坦なシート面を略水平にして垂直方向に多数枚積層されている。この際、シート収納マガジン２００は、蓋２０２を開けて本体２０１内に受像シートＳを装填した後に蓋２０２を閉じてからこの蓋２０２側がシート搬送経路１０２上の前方側に位置するように印刷装置１００内に装着している。
【０００８】
また、シート収納マガジン２００内に積層した多数枚の受像シートＳのうちで最上層の受像シートＳには、錘手段２１０が重力方向に移動自在に当接しており、この錘手段２１０によって最下層の受像シートＳが下記するピックアップローラ１０３に押し当てられるようになっている。この際、錘手段２１０は、錘２１１が錘支持板２１２上に固着され、且つ、錘支持板２１２の両端部が本体２０１と蓋２０２とに沿って重力方向に移動自在に案内される構造となっている。
【０００９】
また、印刷装置１００内では、シート収納マガジン２００の下方にピックアップローラ１０３が回転可能に設けられており、このピックアップローラ１０３がシート収納マガジン２００内に積層した多数枚の受像シートＳのうちで最下層の受像シートＳに添接することで、最下層の受像シートＳが蓋２０２の下方部位に開口されたシート引き出し口２０２ａから一枚づつシート搬送経路１０２上に引き出されて、一対のレジストローラ１０４Ａ，１０４Ｂを経由して印刷部１０５に送り込まれている。
【００１０】
上記した印刷部１０５は、サーマルヘッド１０６と、昇華性インクを塗布したインクリボン１０７と、インクリボン１０７を供給する供給リール１０８と、インクリボン１０７を巻き取る巻取リール１０９と、受像シートＳをサーマルヘッド１０６に押しつけるプラテンローラ１１０などからなり、サーマルヘッド１０６に供給した画像信号に応じてインクリボン１０７の昇華性インクを受像シートＳ上に熱転写して顔写真などの画像を印刷している。
そして、印刷が終了した受像シートＳは、印刷した画像に対して一対の定着ローラ１１１Ａ，１１１Ｂで定着処理を行った後に、一対の排出ローラ１１２Ａ，１１２Ｂで外装筐体１０１外に排出している。
【先行技術文献】
【特許文献】
【００１１】
【特許文献１】特開平１１−２２７９５３号公報（第５頁、第１図及び第２図）。
【発明の概要】
【発明が解決しようとする課題】
【００１２】
ところで、上記した従来の印刷装置１００では、前述したように、外装筐体１０１内でシート搬送経路１０２上の最上流位置にシート収納マガジン２００が着脱自在に載置されているものの、シート収納マガジン２００内に積層した多数枚の受像シートＳがピックアップローラ１０３の回転により一枚づつ引き出されて，残りの受像シートＳが少量になつた時に、受像シートＳを補給しなければならないが、この場合にシート収納マガジン２００を印刷装置１００内から取り出した後に、蓋２０２を開けて本体２０１内に受像シートＳを補給しなければならない構造であるために、受像シートＳの引き出し中に受像シートＳを補給することができない。言い換えると、本体２０１には受像シートＳが積層されているものの、受像シートＳを引き出すためのシート引き出し口２０２ａは蓋２０２の下方部位に開口されているために、受像シートＳを引き出している最中に本体２０１と蓋２０２とを分離することができないので、受像シートＳの引き出し中に受像シートＳを補給することができない。従って、印刷装置１００及びシート収納マガジン２００の使用勝手が悪い。
【００１３】
そこで、カードに文字，画像，磁気情報などの所望の情報を記録するためのカード記録装置に、カード面を略水平にして複数枚のカードが垂直方向に積層されたカード収納カセットを着脱自在に装着する場合に、カード収納カセットから最下層のカードを引き出している最中でもカードの補給が可能なカード収納カセットを備えたカード記録装置及びカード収納カセットが望まれている。
【課題を解決するための手段】
【００１４】
本発明は上記課題に鑑みてなされたものであり、請求項１記載の発明は、複数枚のカードを一方向に積層して収納するカード収納カセットと、前記カード収納カセットに積層収納された前記複数枚のカードの内の一枚のカードを前記カード収納カセットの外部に引き出して所定の情報を記録する記録手段と、を有するカード記録装置において、
前記カード収納カセットは、
前記複数枚のカードが積層して載置される底板と、前記一枚のカードを外部に引き出すための開口部を有して前記積層された複数枚のカードの一端面側をガイドする第１の側板と、前記積層された複数枚のカードの前記一端面とは異なる互いに対向する端面側をそれぞれガイドする第２及び第３の側板と、を有するカセット本体と、
前記底板と対向する天板と前記開口部に対向する第４の側板とを有し前記カセット本体に対して着脱可能とされたカセットカバーと、を備える一方、
前記カセット本体側に設けられ前記一方向に沿って延在する溝部又は凸部と、前記カセットカバー側に設けられ前記溝部又は凸部に嵌合する凸部又は溝部と、を備え、
前記カセットカバーは、前記溝部と前記凸部との嵌合により前記複数枚のカードを収納する箱状に組み合わせ可能とされ且つその組み合わされた状態から前記カセットカバーを前記カセット本体に対して前記一方向に取り外し自在とされていることを特徴とするカード記録装置である。
【００１５】
また、請求項２記載の発明は、複数枚のカードを積層して収納するカード収納カセットと、
前記カード収納カセットに収納された前記複数枚のカードの内の最下層のカードを前記カード収納カセットから外部に引き出すピックアップローラと、
前記カード収納カセットから引き出された前記カードに所望の情報を記録する記録手段と、を備えたカード記録装置において、
前記カード収納カセットは、
前記複数枚のカードが垂直方向に積層した状態で載置されると共に、前記ピックアップローラの進入を許容する底板と、前記底板に垂設され、前記収納した複数枚のカードの前端面をガイドし且つ下方部位に前記最下層のカードを外部に引き出すためのカード引き出し口が開口された前側板と、前記前側板の左右両端とそれぞれ連結して前記底板に垂設され、前記収納した複数枚のカードの左右の端面をそれぞれガイドする左右一対の第１側板と、を有するカセット本体と、
前記カセット本体の前記底板と対向する上方部位を覆う天板と、前記天板に垂下されて前記カセット本体の前記前側板と対向する後方部位を覆う後側板と、前記後側板の左右両端とそれぞれ連結して前記天板に垂下された左右一対の第２側板と、を有するカセットカバーと、を備える一方、
前記第１側板及び前記第２側板の一方側には凹状垂直ガイド溝が形成され、他方側には前記凹状垂直ガイド溝に嵌め込み可能な凸状垂直ガイド壁が形成されており、
前記カード収納カセットは、前記凹状垂直ガイド軸と前記凸状垂直ガイド壁との凹凸嵌合により、前記カセット本体と前記カセットカバーとが箱状に枠組み可能とされ且つその枠組みされた状態から前記カセットカバーを前記カセット本体に対して垂直方向に取り外し自在とされていることを特徴とするカード記録装置である。
また、請求項３記載の発明は、複数枚のカードを積層して収納するカード収納カセットと、
前記カード収納カセットに収納された前記複数枚のカードの内の最下層のカードを前記カード収納カセットから外部に引き出すピックアップローラと、
前記カード収納カセットから引き出された前記カードに所望の情報を記録する記録手段と、を備えたカード記録装置において、
前記カード収納カセットは、
前記複数枚のカードが垂直方向に積層した状態で載置されると共に、前記ピックアップローラの進入を許容する底板と、前記底板に垂設され、前記収納した複数枚のカードの前端面をガイドし且つ下方部位に前記最下層のカードを外部に引き出すためのカード引き出し口が開口された前側板と、前記前側板の左右両端とそれぞれ連結して前記底板に垂設され、前記収納した複数枚のカードの左右の端面をそれぞれガイドする左右一対の第１側板と、を有するカセット本体と、
前記カセット本体の前記底板と対向する上方部位を覆う天板と、前記天板に垂下されて前記カセット本体の前記前側板と対向する後方部位を覆う後側板と、前記後側板の左右両端とそれぞれ連結して前記天板に垂下された左右一対の第２側板と、前記左右一対の第２側板に支持され前記天板に対して離接する方向に移動自在とされた錘と、を有するカセットカバーと、を備える一方、
前記第１側板及び前記第２側板の一方側には凹状垂直ガイド溝が形成され、他方側には前記凹状垂直ガイド溝に嵌め込み可能な凸状垂直ガイド壁が形成されており、
前記カード収納カセットは、前記凹状垂直ガイド軸と前記凸状垂直ガイド壁との凹凸嵌合により、前記カセット本体と前記カセットカバーとが箱状に枠組み可能とされ且つその枠組みされた状態から前記カセットカバーを前記錘を支持したまま前記カセット本体に対して垂直方向に取り外し自在とされていることを特徴とするカード記録装置である。
【００１６】
また、請求項４記載の発明は、複数枚のカードを一方向に積層して収納可能で、且つ、収納した前記複数枚のカードの内の一枚のカードを外部に引き出し可能とされたカード収納カセットにおいて、
前記複数枚のカードが積層して載置される底板と、前記一枚のカードを外部に引き出すための開口部を有して前記積層された複数枚のカードの一端面側をガイドする第１の側板と、前記積層された複数枚のカードの前記一端面とは異なる互いに対向する端面側をそれぞれガイドする第２及び第３の側板と、を有するカセット本体と、
前記底板と対向する天板と前記開口部に対向する第４の側板とを有し前記カセット本体に対して着脱可能とされたカセットカバーと、を備える一方、
前記カセット本体側に設けられ前記一方向に沿って延在する溝部又は凸部と、前記カセットカバー側に設けられ前記溝部又は凸部に嵌合する凸部又は溝部と、を備え、
前記カセットカバーは、前記溝部と前記凸部との嵌合により前記複数枚のカードを収納する箱状に組み合わせ可能とされ且つその組み合わされた状態から前記カセットカバーを前記カセット本体に対して前記一方向に取り外し自在とされていることを特徴とするカード収納カセットである。
また、請求項５記載の発明は、複数枚のカードを積層して収納可能で、且つ、収納した前記複数枚のカードの内の最下層のカードを外部に引き出し可能とされたカード収納カセットにおいて、
前記複数枚のカードが垂直方向に積層した状態で載置される底板と、前記底板に垂設され、前記収納した複数枚のカードの前端面をガイドし且つ下方部位に前記最下層のカードを外部に引き出すためのカード引き出し口が開口された前側板と、前記前側板の左右両端とそれぞれ連結して前記底板に垂設され、前記収納した複数枚のカードの左右の端面をそれぞれガイドする左右一対の第１側板と、を有するカセット本体と、
前記カセット本体の前記底板と対向する上方部位を覆う天板と、前記天板に垂下されて前記カセット本体の前記前側板と対向する後方部位を覆う後側板と、前記後側板の左右両端とそれぞれ連結して前記天板に垂下された左右一対の第２側板と、を有するカセットカバーと、を備える一方、
前記第１側板及び前記第２側板の一方側には凹状垂直ガイド溝が形成され、他方側には前記凹状垂直ガイド溝に嵌め込み可能な凸状垂直ガイド壁が形成されており、
前記凹状垂直ガイド軸と前記凸状垂直ガイド壁との凹凸嵌合により、前記カセット本体と前記カセットカバーとが箱状に枠組み可能とされ且つその枠組みされた状態から前記カセットカバーを前記カセット本体に対して垂直方向に取り外し自在とされていることを特徴とするカード収納カセットである。
更に、請求項６記載の発明は、複数枚のカードを積層して収納可能で、且つ、収納した前記複数枚のカードの内の最下層のカードを外部に引き出し可能とされたカード収納カセットにおいて、
前記複数枚のカードを垂直方向に積層した状態で載置する底板と、前記底板に垂設され、前記収納した複数枚のカードの前端面をガイドし且つ下方部位に前記最下層のカードを外部に引き出すためのカード引き出し口が開口された前側板と、前記前側板の左右両端とそれぞれ連結して前記底板に垂設され、前記収納した複数枚のカードの左右の端面をそれぞれガイドする左右一対の第１側板と、を有するカセット本体と、
前記カセット本体の前記底板と対向する上方部位を覆う天板と、前記天板に垂下されて前記カセット本体の前記前側板と対向する後方部位を覆う後側板と、前記後側板の左右両端とそれぞれ連結して前記天板に垂下された左右一対の第２側板と、前記左右一対の第２側板に支持され前記天板に対して離接する方向に移動自在とされた錘と、を有するカセットカバーと、を備える一方、
前記第１側板及び前記第２側板の一方側には凹状垂直ガイド溝が形成され、他方側には前記凹状垂直ガイド溝に嵌め込み可能な凸状垂直ガイド壁が形成されており、且つ、前記凹状垂直ガイド軸と前記凸状垂直ガイド壁との凹凸嵌合により、前記カセット本体と前記カセットカバーとが箱状に枠組み可能とされ且つその枠組みされた状態から前記カセットカバーを前記錘を支持したまま前記カセット本体に対して垂直方向に取り外し自在とされていることを特徴とするカード収納カセットである。
【発明の効果】
【００１７】
請求項１記載のカード記録装置によると、複数枚のカードを一方向に積層して収納したカード収納カセットから一枚のカードを外部に引き出して、記録手段により所定の情報を記録する際に、カード収納カセットは、カセット本体と、カセット本体に対して着脱可能とされたカセットカバーとを備える一方、カセット本体側に設けられ一方向に沿って延在する溝部又は凸部と、カセットカバー側に設けられ溝部又は凸部に嵌合する凸部又は溝部と、を備え、カセットカバーは、溝部と凸部との嵌合により複数枚のカードを収納する箱状に組み合わせ可能とされ且つその組み合わされた状態からカセットカバーをカセット本体に対して一方向に取り外し自在とされているので、一枚のカードを引き出している際中にカセット本体内にカードを補給することが可能となり、カード記録装置の使用勝手を向上させることができる。勿論、カードに所定の情報を記録している最中でもカセットカバーの取り外しができる。
【００１８】
また、請求項２記載のカード記録装置によると、複数枚のカードが積層されたカード収納カセットから最下層のカードをピックアップローラにより引き出して、記録手段により所望の情報を記録する際に、カード収納カセットは、カセット本体と、カセット本体に対して着脱可能とされたカセットカバーとを備える一方、カセット本体の第１側板及びカセットカバーの第２側板の一方側には凹状垂直ガイド溝が形成され、他方側には凹状垂直ガイド溝に嵌め込み可能な凸状垂直ガイド壁が形成されており、カード収納カセットは、凹状垂直ガイド軸と凸状垂直ガイド壁との凹凸嵌合により、カセット本体とカセットカバーとが箱状に枠組み可能とされ且つその枠組みされた状態からカセットカバーをカセット本体に対して垂直方向に取り外し自在とされているので、これにより、カセット本体内に積層した複数枚のカードの内の最下層のカードがピックアップローラによって外部に引き出される途中でも、カセット本体内にカードを補給することが可能となり、カード記録装置の使用勝手を向上させることができる。勿論、カードに所望の情報を記録している最中でもカセットカバーの取り外しができる。
また、請求項３記載のカード記録装置によると、複数枚のカードが積層されたカード収納カセットから最下層のカードをピックアップローラにより引き出して、記録手段により所望の情報を記録する際に、請求項２記載のカード記録装置と同様な構成によりカセット本体とカセットカバーとが箱状に枠組み可能とされ且つその枠組みされた状態からカセットカバーをカセット本体に対して垂直方向に取り外し自在とされているので同様な効果が得られる上に、更に、カセットカバーの左右一対の第２側板に錘が天板に対して離接する方向に移動自在に支持されているので、錘の重量により最下層のカードを確実に引き出すことができる。
【００１９】
また、請求項４記載のカード収納カセットによると、複数枚のカードが一方向に積層して収納されたカード収納カセットから複数枚のカードの内の一枚のカードを外部に引き出す際に、カード収納カセットは、カセット本体と、カセット本体に対して着脱可能とされたカセットカバーとを備える一方、カセット本体側に設けられ一方向に沿って延在する溝部又は凸部と、カセットカバー側に設けられ溝部又は凸部に嵌合する凸部又は溝部と、を備え、カセットカバーは、溝部と凸部との嵌合により複数枚のカードを収納する箱状に組み合わせ可能とされ且つその組み合わされた状態からカセットカバーをカセット本体に対して一方向に取り外し自在とされているので、一枚のカードを引き出している際中にカセット本体内にカードを補給することが可能となり、カード収納カセットの使用勝手を向上させることができる。
また、請求項５記載のカード収納カセットによると、複数枚のカードが積層されたカード収納カセットから最下層のカードを引き出す際に、カード収納カセットは、カセット本体と、カセット本体に対して着脱可能とされたカセットカバーとを備える一方、カセット本体の第１側板及びカセットカバーの第２側板の一方側には凹状垂直ガイド溝が形成され、他方側には凹状垂直ガイド溝に嵌め込み可能な凸状垂直ガイド壁が形成されており、カード収納カセットは、凹状垂直ガイド軸と凸状垂直ガイド壁との凹凸嵌合により、カセット本体とカセットカバーとが箱状に枠組み可能とされ且つその枠組みされた状態からカセットカバーをカセット本体に対して垂直方向に取り外し自在とされているので、これにより、カセット本体内に積層した複数枚のカードの内の最下層のカードが外部に引き出される途中でも、カセット本体内にカードを補給することが可能となり、カード収納カセットの使用勝手を向上させることができる。
更に、請求項６記載のカード収納カセットによると、複数枚のカードが積層されており、且つ、複数枚のカードの内の最下層のカードを外部に引き出す際に、請求項５記載のカード収納カセットと同様な構成によりカセット本体とカセットカバーとが箱状に枠組み可能とされ且つその枠組みされた状態からカセットカバーをカセット本体に対して垂直方向に取り外し自在とされているので同様な効果が得られる上に、更に、カセットカバーの左右一対の第２側板に錘が天板に対して離接する方向に移動自在に支持されているので、錘の重量により最下層のカードを確実に引き出すことができる。
【図面の簡単な説明】
【００２０】
【図１】本発明に係るカード記録装置に本発明に係るカード収納カセットを装着した状態を示した外観斜視図である。
【図２】本発明に係るカード記録装置から本発明に係るカード収納カセットを取り外した状態を示した外観斜視図である。
【図３】本発明に係るカード記録装置及びカード収納カセットの構成を示した断面図である。
【図４】本発明に係るカード収納カセットを分解して示した分解斜視図である。
【図５】（ａ）は本発明に係るカード収納カセットを枠組みした状態を示した外観斜視図であり、（ｂ）は（ａ）中のＡ−Ａ線に沿って断面した矢視断面図である。
【図６】本発明に係るカード収納カセットを本発明に係るカード記録装置に装着した時に、カセット本体からカセットカバーを取り外した状態を示した外観斜視図である。
【図７】本発明に係るカード収納カセットにおいて、カセット本体にカセットカバーをロックしたり、ロック解除するロック手段兼ロック解除手段の構成を説明すると共に、ロック手段兼ロック解除手段の第１動作態様を示した縦断面図である。
【図８】本発明に係るカード収納カセットにおいて、カセット本体にカセットカバーをロックしたり、ロック解除するロック手段兼ロック解除手段の第２動作態様を示した縦断面図である。
【図９】本発明に係るカード収納カセットにおいて、カセット本体にカセットカバーをロックしたり、ロック解除するロック手段兼ロック解除手段の第３動作態様を示した縦断面図である。
【図１０】本発明に係るカード収納カセットにおいて、カセット本体にカセットカバーをロックしたり、ロック解除するロック手段兼ロック解除手段の第４動作態様を示した縦断面図である。
【図１１】従来の印刷装置及びシート収納マガジンの概略構成を示した構成図である。
【図１２】図１１に示した従来のシート収納マガジンを示した斜視図である。
【発明を実施するための形態】
【００２１】
以下に本発明に係るカード記録装置及びカード収納カセットの一実施例を図１〜図１０を参照して詳細に説明する。
（実施例）
図１は本発明に係るカード記録装置に本発明に係るカード収納カセットを装着した状態を示した外観斜視図、
図２は本発明に係るカード記録装置から本発明に係るカード収納カセットを取り外した状態を示した外観斜視図、
図３は本発明に係るカード記録装置及びカード収納カセットの構成を示した断面図である。
【００２２】
図１に示した如く、本発明に係るカード記録装置１０に適用される本発明に係るカード収納カセット３０は、内部に平坦なカード面Ｃａを略水平にして複数枚（多数枚）のカードＣが重力方向と同じ方向である垂直方向に積層して収納されている。尚、本発明に係るカード収納カセット３０の具体的な構成は後述する。
【００２３】
そして、上記したカード収納カセット３０は、カード記録装置１０の外装を担う外装筐体１１の右側板１１ａの外側でこの右側板１１ａよりも内側に引っ込めて外部に台状に露出形成したカセット装着台１１ｂ上に装着されている。従って、このカード収納カセット３０は、外装筐体１１の内部を開けることなく、カセット装着台１１ｂ上に着脱自在に装着することが可能になっている。
【００２４】
また、カード記録装置１０の外装筐体１１の前方にはフロントパネル１２が取り付けられており、このフロントパネル１２の上方部位に設けた操作パネル部１２ａを操作することで、後述するようにカードＣに文字，画像，磁気情報などの所望の情報を記録するための各種設定ができるようになっている。
【００２５】
また、図２に示した如く、カード記録装置１０の外装筐体１１の右側板１１ａ側に露出形成したカセット装着台１１ｂの内側に側板１１ｃが右側板１１ａに対して略平行に設けられ、この側板１１ｃの前後に左右一対の垂直ガイド壁１１ｄ，１１ｅが互いに対向して対称に形成されており、且つ、一対の垂直ガイド壁１１ｄ，１１ｅの端面の上下には長方形状の係止孔１１ｄ１，１１ｅ１が右側板１１ａ側に向かって穿設されている。
【００２６】
一方、カード収納カセット３０の左右上下には、逆Ｌ字状係止爪３１ｅ１，３１ｆ１｛但し、３１ｆ１は図５（ｂ）に図示｝が下側に向かって逆Ｌ字状に形成されており、これらの逆Ｌ字状係止爪３１ｅ１，３１ｆ１を外装筐体１１の左右一対の垂直ガイド壁１１ｄ，１１ｅの端面の上下に形成した係止孔１１ｄ１，１１ｅ１内に僅かに傾けながら挿入して係止させた後に、カード収納カセット３０を垂直に起立させて、このカード収納カセット３０を外装筐体１１の側板１１ｃと左右一対の垂直ガイド壁１１ｄ，１１ｅに沿わせてカセット装着台１１ｂ上に位置決めして載置している。
【００２７】
この際、外装筐体１１のカセット装着台１１ｂには、後述するピックアップローラ１３の一部とカード有無検出レバー１５の一部が上方に向かって突出されている。
【００２８】
より具体的に図３を用いて説明すると、カード記録装置１０の外装筐体１１の右側板１１ａ側に露出形成したカセット装着台１１ｂ上に着脱自在に載置されるカード収納カセット３０は、垂直方向に沿って縦割りに分離したカセット本体３１とカセットカバー３２とが後述する垂直ガイド手段を介して箱状に枠組みされる一方、カセットカバー３２が垂直ガイド手段に沿ってカセット本体３１から取り外し自在になっている。
【００２９】
また、カード収納カセット３０は、カセット本体３１とカセットカバー３２とで箱状に枠組みされた内部でカセット本体３１の底板３１ａ上に、平坦なカード面Ｃａを略水平にして多数枚のカードＣが垂直方向に積層されており、且つ、カセット本体３１側がカードＣの搬送方向に対して前方側に位置し、一方、カセットカバー３２側がカードＣの搬送方向に対して後方側に位置している。
【００３０】
また、カセット本体３１の底板３１ａ上に積層した多数枚のカードＣのうちで最下層のカードＣがカセット本体３１の底板３１ａに貫通して開口した開口部３１ａ１から臨んでいるピックアップローラ１３に添接していると共に、最上層のカードＣに後述する錘手段５０の錘５１が重力方向に移動自在に当接しており、最上層のカードＣに当接した錘５１の重量によって最下層のカードＣがピックアップローラ１３に押し当てられるようになっている。尚、カセット本体３１の底板３１ａは、カードＣを積層すると共に、ピックアップローラ１３の進入を許容してこのピックアップローラ１３が最下層のカードＣに添接できる構造であれば良い。
【００３１】
この際、カードＣは、カード搬送方向となる短辺方向のサイズが５４ｍｍであり、カード搬送方向に対して直交する長辺方向のサイズが８５．６ｍｍであり、厚みは０．７６ｍｍのものが使用されている。
【００３２】
尚、この実施例ではカード搬送方向をカードＣの短辺方向に設定することで長辺方向よりもカードＣの搬送距離が短くなり、カードＣの搬送を短時間で行うことができるものの、これに限ることなく、カード搬送方向をカードＣの長辺方向に設定することも可能である。
【００３３】
また、カード収納カセット３０内の最下層のカードＣには、軸１４を中心に回動自在なカード有無検出レバー１５の一端がバネ１６の付勢力により当接しており、且つ、カード有無検出レバー１５の他端側に光センサなどによるカード有無検出器１７が設置されて、このカード有無検出器１７でカード収納カセット３０内のカードＣの有無を検出している。
【００３４】
そして、ピックアップローラ１３の反時計方向の回転により、最下層のカードＣがカセット本体３１の前側板３１ｂの下方部位に貫通して開口したカード引き出し口３１ｂ１から一枚づつ引き出され、この後、引き出されたカードＣは外装筐体１１の側板１１ｃの下方部位に貫通して開口したカード通過口１１ｃ１を通過して一対のクリーニングローラ１８Ａ，１８Ｂに送られ、この一対のクリーニングローラ１８Ａ，１８によって引き出されたカードＣの上面がクリーニングされて、一対の搬送ローラ１９Ａ，１９Ｂを介してエンコーダ部２０に搬送されている。
【００３５】
上記したエンコーダ部２０では、カードＣの表面及び／又は裏面に設けられた磁気ストライブやＩＣメモリに情報を書き込むものであり、このエンコーダ部２０で処理されたカードＣは一対の搬送ローラ２１Ａ，２１Ｂを介してプリント部２２に搬送されている。
【００３６】
上記したプリント部２２では、カードＣの表面に文字や顔写真などの画像を印刷するものであり、印刷の方式としては、例えば熱転写方式やインクジェット方式等があるが、その方式については特に限定されるものではない。
【００３７】
この後、プリント部２２で印刷されたカードＣは、一対の排出ローラ２３Ａ，２３Ｂを経て、外装筐体１１の左側板１１ｆに開口したカード排出口１１ｆ１から外装筐体１１外に排出されている。
【００３８】
尚、プリント部２２と、一対の排出ローラ２３Ａ，２３Ｂとの間に、プリント部２２で印刷されたカードＣの表面に対して透明な保護膜を加熱圧接着方式でラミネイトするラミネイト部（図示せず）を設ける場合もある。
【００３９】
次に、本発明に係るカード収納カセット３０の具体的な構成について、図４〜図６を用いて説明する。
【００４０】
図４は本発明に係るカード収納カセットを分解して示した分解斜視図、
図５（ａ）は本発明に係るカード収納カセットを枠組みした状態を示した外観斜視図であり、（ｂ）は（ａ）中のＡ−Ａ線に沿って断面した矢視断面図、
図６は本発明に係るカード収納カセットを本発明に係るカード記録装置に装着した時に、カセット本体からカセットカバーを取り外した状態を示した外観斜視図である。
【００４１】
図４に示した如く、本発明に係るカード収納カセット３０は、複数枚（多数枚）のカードにそれぞれ所望の情報を記録して連続的に作製したり、あるいは、各種のカードを使用者に自動的に渡す場合に適用可能に構成されているものであり、前述したカード記録装置１０（図１〜図３）に限ることなく、上記した使用目的に合えばいかなる装置にも適用可能である。
【００４２】
上記したカード収納カセット３０は、垂直方向に沿って縦割りに分離したカセット本体３１とカセットカバー３２とが後述する垂直ガイド手段を介して箱状に枠組みされる一方、カセットカバー３２が垂直ガイド手段に沿ってカセット本体３１から取り外し自在になっている点が特徴である。
【００４３】
より具体的に説明すると、カセット本体３１は内部が目視できるような薄青色の樹脂材を用いて一体的に形成されている。
【００４４】
このカセット本体３１は、底板３１ａと、底板３１ａ上に垂設された前側板３１ｂと、底板３１ａ上に垂設され且つ前側板３１ｂの両端と直交する左右一対の左側板３１ｃ，右側板３１ｄと、左右一対の左側板３１ｃ，右側板３１ｄに連接し且つ左側板３１ｃ，右側板３１ｄよりもそれぞれ外側に向かって凸状に突出させた左右一対の凸状垂直ガイド壁３１ｅ，３１ｆとからなり、底板３１ａ及び前側板３１ｂ並びに左右一対の左側板３１ｃ，右側板３１ｄに囲まれた内部に平坦なカード面Ｃａを略水平にして複数枚（多数枚）のカードＣが垂直方向に積層されるようになっている。この際、カセット本体３１は、前側板３１ｂと対向する後方部位側が開口されている。また、前側板３１ｂは、底板３１ａ上に積層された複数枚（多数枚）のカードＣの前端面をガイドしており、一方、左右一対の左側板３１ｃ，右側板３１ｄは、底板３１ａ上に積層された複数枚（多数枚）のカードＣの左右の端面をそれぞれガイドしている。
【００４５】
また、カセット本体３１の底板３１ａには、外部に設けたピックアップローラ１３（図２，図３）が進入するための開口部３１ａ１が貫通して開口され、且つ、カードＣの有無を検出するためのカード有無レバー１５（図２，図３）が進入するための孔３１ａ２が貫通して開口され、また、積層した多数枚のカードＣのうちで最下層のカードＣの搬送方向の後端を僅かに持ち上げるための突起３１ａ３が上方に向かって僅かな高さで突出形成され、更に、後述するカセットカバー３２の左右一対の凸状垂直ガイド壁３２ｅ，３２ｆの下部に突出形成した左右一対の位置決めピン３２ｅ１，３２ｆ１（３２ｅ１のみ図示）が嵌合して、カセットカバー３２を底板３１ａ上に位置決めする左右一対の位置決め孔３１ａ４（右側のみ図示）が貫通して穿設されている。従って、カセット本体３１の底板３１ａに載置される最下層のカードＣは後端が突起３１ａ３によって僅かな高さで持ち上げられているので、最下層のカードＣ及びこの上に積層された多数枚のカードＣは平坦なカード面Ｃａが略水平な姿勢となる。
【００４６】
この際、カセット本体３１の底板３１ａ上に積層されるカードＣの向きは、カードＣの短辺側がカード搬送方向になるように載置されている。
【００４７】
また、カセット本体３１の前側板３１ｂは、底板３１ａ上に積層されたカードＣの搬送方向の前方側に位置しており、この前側板３１ｂの下方部位に最下層ＣのカードＣが外部に設けたピックアップローラ１３（図３）の回転によって一枚づつ引き出されるカード引き出し口３１ｂ１が貫通して開口されており、このカード引き出し口３１ｂ１の高さ寸法は最下層のカードＣが一枚づつ引き出しできる値に設定されていることが望ましいが、カードＣを一枚づつ厳密に分離する機能はカード記録装置１０（図1〜図３）側に設けても良く、この場合に、カセット本体３１の前側板３１ｂの下方部位に貫通して開口したカード引き出し口３１ｂ１の機能は少なくとも最下層のカードＣが外部前方に引き出し可能であれば良い。
【００４８】
更に、カセット本体３１の前側板３１ｂの上方部位に、後述するカセットカバー３２をカセット本体３１に対してロックするための係止孔３１ｂ２が貫通して穿設されているが、この係止孔３１ｂ２の形状については後で述べる。
【００４９】
また、カセット本体３１の前側板３１ｂの左右端に直交して設けられた左右一対の左側板３１ｃ，右側板３１ｄは互いに対向して左右対称に設けられており、左右一対の左側板３１ｃ，右側板３１ｄ間の内側の幅寸法は、カードＣの長辺寸法より僅かに大きく設定されている。
【００５０】
また、カセット本体３１の左右一対の左側板３１ｃ，右側板３１ｄの後方部位に連接し且つ左側板３１ｃ，右側板３１ｄよりもそれぞれ外側に向かって凸状に突出させた左右一対の凸状垂直ガイド壁３１ｅ，３１ｆは、互いに対向して左右対称に形成されていると共に、左右一対の凸状垂直ガイド壁３１ｅ，３１ｆの各前サイドに下側に向かって逆Ｌ字状の逆Ｌ字状係止爪３１ｅ１，３１ｆ１｛但し、３１ｆ１は図５（ｂ）にみ図示｝が上下に２個づつ形成されている。この際、カセット本体３１の前側板３１ｂと左右一対の凸状垂直ガイド壁３１ｅ，３１ｆとを、先に図２を用いて説明したカード記録装置１０の外装筐体１１に形成したカセット装着台１１ｂ上の側板１１ｃと左右一対の垂直ガイド壁１１ｄ，１１ｅとに沿わせてカセット装着台１１ｂ上に位置決めして載置していると共に、逆Ｌ字状係止爪３１ｅ１，３１ｆ１を一対の垂直ガイド壁１１ｄ，１１ｅの上下に穿設した長方形状の係止孔１１ｄ１，１１ｅ１に係止させている。
【００５１】
また、カセット本体３１の左右一対の凸状垂直ガイド壁３１ｅ，３１ｆの各内側には、左右一対の凹状垂直ガイド溝３１ｇ，３１ｈが左右一対の凸状垂直ガイド壁３１ｅ，３１ｆに沿いながら凹溝状に凹んで互いに対向して左右対称に形成されており、左右一対の凹状垂直ガイド溝３１ｇ，３１ｈ間の間隔は、後述するカセットカバー３２に形成した左右一対の凸状垂直ガイド壁３２ｅ，３２ｆが嵌まり込める寸法に形成されている。
【００５２】
次に、カセットカバー３２もカセット本体３１と同様に内部が目視できるような薄青色の樹脂材を用いて一体的に形成されている。
【００５３】
このカセットカバー３２は、カセット本体３１の底板３１ａと対向する上方部位を覆う天板３２ａと、天板３２ａに垂下されてカセット本体３１の前側板３１ｂの後方部位を覆う後側板３２ｂと、天板３２ａに垂下され且つ後側板３２ｂの両端と直交する左右一対の左側板３２ｃ，右側板３２ｄと、左右一対の左側板３２ｃ，右側板３３ｄに連接し且つ左側板３２ｃ，右側板３２ｄよりもそれぞれ外側に向かって凸状に突出させた左右一対の凸状垂直ガイド壁３２ｅ，３２ｆとからなっている。
【００５４】
また、カセットカバー３２の天板３２ａの中央部位には、凹状有底開口孔３２ａ１が形成されており、この凹状有底開口孔３２ａ１内にカセットカバー３２をカセット本体３１に対してロックしたり、ロック解除するためのロック手段兼ロック解除手段４０のスライド部材（ロック兼ロック解除部材）４１が矢印Ｘ１，Ｘ２方向（カードＣの短辺方向）にスライド自在に嵌め込まれており、このスライド部材４１は凹状有底開口孔３２ａ１内の底板部３２ａ１−１の裏面に当接させた押さえ板４２に底板部３２ａ１−１を介してネジ４３で挟み込むことによりスライド自在になっているが、ロック手段兼ロック解除手段４０については後で詳述する。
【００５５】
また、カセットカバー３２の後側板３２ｂの左右端に直交して設けられた左右一対の左側板３２ｃ，右側板３２ｄは互いに対向して左右対称に設けられており、左右一対の左側板３２ｃ，右側板３２ｄ間の内側の幅寸法は、カードＣの長辺寸法より僅かに大きく形成されている。
【００５６】
また、カセットカバー３２の左右一対の左側板３２ｃ，右側板３２ｄの前方部位に連接し且つ左側板３２ｃ，右側板３２ｄよりもそれぞれ外側に向かって凸状に突出させた左右一対の凸状垂直ガイド壁３２ｅ，３２ｆは、互いに対向して左右対称に形成されている。
【００５７】
そして、先に説明したカセット本体３１の左右一対の凹状垂直ガイド溝３１ｇ，３１ｈ内に、上方からカセットカバー３２の左右一対の一対の凸状垂直ガイド壁３２ｅ，３２ｆを垂直移動自在に嵌め込むことで、カセット本体３１に対してカセットカバー３２が前後左右に位置規制された状態で箱状に枠組みされる。
【００５８】
一方、カセット本体３１の左右一対の凹状垂直ガイド溝３１ｇ，３１ｈ内に、カセットカバー３２の左右一対の一対の凸状垂直ガイド壁３２ｅ，３２ｆが垂直移動自在に嵌め込まれた状態から、カセットカバー３２を上方に向かって持ち上げれば、カセットカバー３２がカセット本体３１から取り外し自在になる。
【００５９】
この際、カセット本体３１の左右一対の左側板３１ｃ，右側板３１ｄ側に形成した左右一対の凹状垂直ガイド溝３１ｇ，３１ｈと、カセットカバー３２の左右一対の左側板３２ｃ，右側板３２ｄ側に形成した左右一対の凸状垂直ガイド壁３２ｅ，３２ｆとが、カセット本体３１に対してカセットカバー３２の前後左右の位置を規制しつつカセットカバー３２の垂直移動を許容する垂直ガイド手段となっている。尚、上記した垂直ガイド手段は、カセット本体３１に対してカセットカバー３２の前後左右の位置を規制しつつカセットカバー３２の垂直移動を許容する機能を備えていればいかなる構造でも良い。
【００６０】
これにより、カセット本体３１内に積層した多数枚のカードＣのうちで、最下層のカードＣが外部に設けたピックアップローラ１３（図１３）によって一枚づつ引き出される途中でもカセットカバー３２をカセット本体３１から取り外すことが可能になるので、カセット本体３１内にカードＣを補給することが可能となり、カード収納カセット３０の使用勝手を向上させることができる。
【００６１】
また、カセットカバー３２の左右一対の凸状垂直ガイド壁３２ｅ，３２ｆの各内側には、左右一対の凹状垂直ガイド溝３２ｇ１，３２ｈ１と、左右一対の垂直ガイド溝３２ｇ２，３２ｈ２とが左右一対の凸状垂直ガイド壁３２ｅ，３２ｆに沿いながら上下にそれぞれ止め部を有して互いに対向して左右対称に長尺に形成されており、左右一対の凹状垂直ガイド溝３２ｇ１，３２ｈ１は左右一対の垂直ガイド溝３２ｇ２，３２ｈ２よりもそれぞれ外側に位置し且つ左右一対の垂直ガイド溝３２ｇ２，３２ｈ２よりも溝幅が広く形成されている。
【００６２】
そして、カセットカバー３２の左右一対の凹状垂直ガイド溝３２ｇ１，３２ｈ１と、左右一対の垂直ガイド溝３２ｇ２，３２ｈ２とに、下記する錘５１が重力方向に移動自在に嵌め込まれて、錘手段５０を構成している。
【００６３】
上記した錘手段５０の錘５１は、重量のあるステンレス丸棒を用いて切削加工されており、太径軸部５１ａがカードＣの長辺と対応して長尺に形成され、且つ、太径軸部５１ａの両端に太径軸部５１ａより細径な細径軸部５１ｂ，５１ｂが短尺に形成され、これらの細径軸部５１ｂ，５１ｂが左右一対の垂直ガイド溝３２ｇ２，３２ｈ２内に垂直移動自在に嵌合し、且つ、細径軸部５１ｂ，５１ｂにＥワッシャ５２を嵌めて抜け防止を図った状態でＥワッシャ５２側を左右一対の凹状垂直ガイド溝３２ｇ１，３２ｈ１内に挿入している。この際、左右一対の凹状垂直ガイド溝３２ｇ１，３２ｈ１及び左右一対の垂直ガイド溝３２ｇ２，３２ｈ２は、上述したように上下にそれぞれ止め部を有しているので、錘５１を嵌め込んでもこの錘５１が抜けることはない。
【００６４】
これにより、錘５１は重力方向に移動してカセット本体３１に積層した最上層のカードＣに当接し、この錘５１の重量で最下層のカードＣがピックアップローラ１３（図３）に押し当てられるので、最下層のカードＣが外部に設けたピックアップローラ１３（図３）によって一枚づつ確実に引き出すことができる。
【００６５】
更に、カセット本体３１に対してカセットカバー３２を取り外す時に、錘５１もカセットカバー３２に支持された状態で取り出せるので、カードＣの補給を何等の支障もなく行うことができる。
【００６６】
上記のように構成したカセット本体３１とカセットカバー３２とで箱状に枠組みすると、図５（Ａ），（ｂ）に示したように本発明に係るカード収納カセット３０が得られる。
【００６７】
そして、図６に示した如く、カード収納カセット３０を外装筐体１１の右側板１１ａよりも内側に引っ込めて外部に露出形成したカセット装着台１１ｂ上に装着した時に、カセット本体３１内に多数枚のカードＣを積層したまま、カセットカバー３２に形成した左右一対の凸状垂直ガイド壁３２ｅ，３２ｆをカセット本体３１に形成した左右一対の凹状垂直ガイド溝３１ｇ，３１ｈに沿わせて上動させると、カセット本体３１からカセットカバー３２が取り外されるので、この後、カセット本体３１内にカードＣを補給すれば良い。この際、カセット本体３１及びカセットカバー３２は共に内部が目視できる薄青色の樹脂材を用いて形成されているので、積層されたカードＣの減少量を目視で確認できる。
【００６８】
次に、本発明に係るカード収納カセット３０において、カセット本体３１にカセットカバー３２をロックしたり、ロック解除するロック手段兼ロック解除手段４０の構成及び動作について、図７〜図１０を用いて順に説明する。
【００６９】
図７は本発明に係るカード収納カセットにおいて、カセット本体にカセットカバーをロックしたり、ロック解除するロック手段兼ロック解除手段の構成を説明すると共に、ロック手段兼ロック解除手段の第１動作態様を示した縦断面図、図８は本発明に係るカード収納カセットにおいて、カセット本体にカセットカバーをロックしたり、ロック解除するロック手段兼ロック解除手段の第２動作態様を示した縦断面図、図９は本発明に係るカード収納カセットにおいて、カセット本体にカセットカバーをロックしたり、ロック解除するロック手段兼ロック解除手段の第３動作態様を示した縦断面図、図１０は本発明に係るカード収納カセットにおいて、カセット本体にカセットカバーをロックしたり、ロック解除するロック手段兼ロック解除手段の第４動作態様を示した縦断面図である。
【００７０】
図７に示した状態は、カード収納カセット３０のカセット本体３１に対してカセットカバー３２が錘手段５０の錘５１を支持したまま上動している状態である。
【００７１】
ここで、カセット本体３１にカセットカバー３２をロックしたり、ロック解除するロック手段兼ロック解除手段４０は、カセット本体３１側とカセットカバー３２側とに別れて設けられている。
【００７２】
まず、カセット本体３１側に設けたロック手段兼ロック解除手段４０は、カセット本体３１の前側板３１ｂの上方部位に貫通して穿設した係止孔３１ｂ２であり、この係止孔３１ｂ２は前側板３１ｂの外側で係止孔３１ｂ２の下部を基準として上部の高さが高い第１係止孔部３１ｂ２−１と、前側板３１ｂの内側で係止孔３１ｂ２の下部を基準として上部の高さが第１係止孔部３１ｂ２−１よりも低い第２係止孔部３１ｂ２−２とで係止孔３１ｂ２の上部が段付きに形成されている。
【００７３】
次に、カセットカバー３２側に設けたロック手段兼ロック解除手段４０は、樹脂材を用いて一体的に形成したスライド部材（ロック兼ロック解除部材）４１であり、このスライド部材４１はカセットカバー３２の天板３２ａの中央部位に形成した凹状有底開口孔３２ａ１内に嵌め込まれて、矢印Ｘ１，Ｘ２方向（カードＣの短辺方向）に対してスライド量を確保した上で矢印Ｘ１，Ｘ２方向にスライド自在になっている。
【００７４】
ここで、スライド部材４１は、上方に長方形状に形成したフランジ部４１ａがカセットカバー３２の凹状有底開口孔３２ａ１の外周サイズよりひとまわり大きく形成されて、このフランジ部４１ａの裏面がカセットカバー３２の天板３２ａ上に当接しながらスライド自在になっていると共に、下方に形成した底部４１ｂが凹状有底開口孔３２ａ１内の底板部３２ａ１−１上に当接しながらスライド自在になっている。
【００７５】
また、カセットカバー３２の凹状有底開口孔３２ａ１内の底板部３２ａ１−１には、スライド用逃げ孔３２ａ１−１ａが貫通して穿設されており、このスライド用逃げ孔３２ａ１−１ａ内にスライド部材４１の下方側に形成したボス部４１ｃが進入し、このボス部４１ｃに凹状有底開口孔３２ａ１内の底板部３２ａ１−１の裏面に当接させた押さえ板４２をネジ４３で固定することで、凹状有底開口孔３２ａ１内の底板部３２ａ１−１を介してスライド部材４１と押さえ板４２とが一体となって矢印Ｘ１，Ｘ２方向にスライド自在になっている。
【００７６】
また、スライド部材４１の上方側に形成したフランジ部４１ａの中央部位には、矢印Ｘ１，Ｘ２方向に沿って２個の凹状有底指挿入孔４１ｄが形成されており、これらの２個の凹状有底指挿入孔４１ｄにそれぞれ指を挿入することで、スライド部材４１と押さえ板４２とが一体となって手動で矢印Ｘ１方向又は矢印Ｘ２方向に押すことができるようになっている。
【００７７】
また、スライド部材４１の下方側で矢印Ｘ１方向の先端に、フック部４１ｅが矢印Ｘ１方向に向かって突出形成されており、且つ、フック部４１ｅの上面に凹部４１ｆが僅かな深さで形成されていると共に、フック部４１ｅの先端下方にカセット本体３１の前側板３１ｂの上方部位に貫通して穿設した係止孔３１ｂ２内に挿入し易いようにテーパ部４１ｇが形成されている。そして、スライド部材４１の矢印Ｘ１方向へのスライドに伴って、スライド部材４１のフック部４１ｅは、カセット本体３１の前側板３１ｂに穿設した係止孔３１ｂ２内に挿入されるようになっている。
【００７８】
また、スライド部材４１の下方側で略中央部位には樹脂材の弾性力を利用して垂直方向が短尺で矢印Ｘ１，Ｘ２方向と対応する水平方向を長尺に形成したＬ字状アーム片４１ｈが上下方向に弾性変位自在に設けられており、このＬ字状アーム片４１ｈの水平方向の先端に半円弧状凸部４１ｉが下方に向かって突出形成されて、半円弧状凸部４１ｉがカセットカバー３２の凹状有底開口孔３２ａ１内の底板部３２ａ１−１の上面に沿ってスライド可能になっている。これに伴って、カセットカバー３２の凹状有底開口孔３２ａ１内の底板部３２ａ１−１の上面に半円弧状凹部３２ａ１−１ｂが上方に向かって凹状に形成されている。
【００７９】
そして、スライド部材４１の矢印Ｘ１方向へのスライドに伴って、スライド部材４１のＬ字状アーム片４１ｈの先端に形成した半円弧状凸部４１ｉが、カセットカバー３２の凹状有底開口孔３２ａ１内の底板部３２ａ１−１の上面に形成した半円弧状凹部３２ａ１−１ｂに接離自在になっている。この際、後述するように、半円弧状凸部４１ｉが半円弧状凹部３２ａ１−１ｂ内に嵌合した時のクリック感により、カセットカバー３２側に設けたスライド部材４１がカセット本体３１に対してロック位置に至ったことを知ることができる。
【００８０】
上記のようにロック手段兼ロック解除手段４０を構成して、図７に示した状態でカセットカバー３２の凹状有底開口孔３２ａ１内に嵌合したスライド部材４１に対して、このスライド部材４１に形成した２個の凹状有底指挿入孔４１ｄにそれぞれ指を挿入して、スライド部材４１を手動により矢印Ｘ２方向に予めスライドさせておき、この後、カセットカバー３２を錘手段５０の錘５１と一体に下動させて、このカセットカバー３２をカセット本体３１内に納めると、図８に示した状態に至る。
【００８１】
この図８に示した状態は、上記したように、スライド部材４１を矢印Ｘ２方向に予めスライドさせているので、スライド部材４１のフック部４１ｅがカセット本体３１の前側板３１ｂに穿設した係止孔３１ｂ２内に挿入されることなく待機している。この時、スライド部材４１のＬ字状アーム片４１ｈの先端に形成した半円弧状凸部４１ｉもカセットカバー３２の凹状有底開口孔３２ａ１内の底板部３２ａ１−１の上面に形成した半円弧状凹部３２ａ１−１ｂから離れている。
【００８２】
次に、図９に示した如く、カセットカバー３２の凹状有底開口孔３２ａ１内に嵌合したスライド部材４１に対して、このスライド部材４１に形成した２個の凹状有底指挿入孔４１ｄにそれぞれ指を挿入して、スライド部材４１を手動により上記とは反対に矢印Ｘ１方向にスライドさせると、スライド部材４１のフック部４１ｅがカセット本体３１の前側板３１ｂの上方部位に貫通して穿設した係止孔３１ｂ２内に挿入される。
【００８３】
この時、スライド部材４１のフック部４１ｅが、カセット本体３１の前側板３１ｂに穿設した係止孔３１ｂ２のうちで上部の高さが高い第１係止孔部３１ｂ２−１に挿入されて、ここでスライド部材４１がロック位置に至る。このロック位置でカセット本体３１に対してカセットカバー３２を上方向に外そうとしてもフック部４１ｅが第１係止孔部３１ｂ２−１に引かかり、カセットカバー３２を取り外すことができない。従って、このようなロック状態でカセットカバー３２を上方向に持ち上げると、カード収納カセット３０全体を持ち上げることができるので、カード収納カセット３０のカード記録装置１０（図１〜図３）への着脱が容易になる。
【００８４】
また、上記と同時に、スライド部材４１のフック部４１ｅの上面に形成した凹部４１ｆが、カセット本体３１の前側板３１ｂに穿設した係止孔３１ｂ２のうちで上部の高さが低い第２係止孔部３１ｂ２−２に挿入され、第２係止孔部３１ｂ２−２と凹部４１ｆとの間に僅かな隙間Ｓが発生しているものの、この状態で僅かな隙間Ｓを持たせた理由については後で述べる。
【００８５】
更に、スライド部材４１の矢印Ｘ１方向へのスライドに伴って、スライド部材４１のＬ字状アーム片４１ｈの先端に形成した半円弧状凸部４１ｉが、カセットカバー３２の凹状有底開口孔３２ａ１内の底板部３２ａ１−１の上面に形成した半円弧状凹部３２ａ１−１ｂ内に嵌合するので、半円弧状凸部４１ｉが半円弧状凹部３２ａ１−１ｂ内に嵌合した時のクリック感により、カセットカバー３２側に設けたスライド部材４１がカセット本体３１に対してロック位置に至ったことを知ることができる。
【００８６】
次に、図９に示した状態、即ち、カセットカバー３２側に設けたスライド部材４１がカセット本体３１に対してロック位置に至っている時に、カセットカバー３２側を上方に持ち上げると図１０に示した状態に至る。
【００８７】
ここで、カセットカバー３２側を上方（矢印Ｙ１方向）に持ち上げると、カセット本体３１が自重で下方に移動するために、スライド部材４１のフック部４１ｅの上面に形成した凹部４１ｆ内に、カセット本体３１の前側板３１ｂに穿設した係止孔３１ｂ２のうちで上部の高さが低い第２係止孔部３１ｂ２−２が嵌合して当接する結果、図９で説明した僅かな隙間Ｓが無くなり、スライド部材４１を矢印Ｘ２方向に押してロック解除しようとしても、スライド部材４１は矢印Ｘ２方向にスライドすることができないので、ロック解除されない。
【００８８】
即ち、スライド部材４１がロック位置に至って、カセット本体３１の前側板３１ｂに穿設した係止孔３１ｂ２のうちで上部の高さが低い第２係止孔部３１ｂ２−２と、スライド部材４１のフック部４１ｅの上面に形成した凹部４１ｆとで凹凸関係で嵌合し、両者３１ｂ２−２，４１ｆの間に前記した隙間Ｓが無くなることにより、カセットカバー３２側を上方に持ち上げた時にスライド部材４１へのロック解除を規制するロック解除規制手段を構成している。
【００８９】
このことは、カード収納カセット３０を持ち運びする際に、スライド部材４１が不用意にロック解除されないので、カード収納カセット３０の持ち運びを安全で且つ確実に行うことができる。
【００９０】
この後、スライド部材４１のフック部４１ｅをカセット本体３１の前側板３１ｂに穿設した係止孔３１ｂ２からロック解除する場合には、図９に示した状態から図８に示した状態に移行するように、スライド部材４１を手動で矢印Ｘ２方向にスライドさせれば良い。
【００９１】
尚、カセット本体３１に対してカセットカバー３２をロックしたり、ロック解除するロック手段兼ロック解除手段４０は、これに限定されるものではなく、カセット本体３１側にフック部、カセットカバー３２側に係止孔をそれぞれ設けるようにしても良いし、カセットカバー３２を上方向に持ち上げた時に、スライド部材がロック解除方向に移動できない構造であれば良いものである。
【００９２】
更に、この実施例では、カセット本体３１からカセットカバー３２を取り外す時に、カセットカバー３２に支持した錘手段５０の錘５１もカセットカバー３２と一体に取り外すことができるものの、カード収納カセット３０内に錘手段５０の錘５１を設けない構成も可能である。
【００９３】
従って、カード収納カセット３０内に錘手段５０の錘５１を設けない場合には、カセット本体３１は、底板３１ａと、前側板３１ｂと、左右一対の左側板３１ｃ，右側板３１ｄ
とを有し、一方、カセットカバー３２は、天板３２ａと、後側板３２ｂとを少なくとも有し、且つ、カセット本体３１に対してカセットカバー３２の前後左右の位置を規制しつつカセットカバー３２の垂直移動を許容する垂直ガイド手段が、カセット本体３１の左右一対の左側板３１ｃ，右側板３１ｄ側と、カセットカバー３２の後側板３２ｂ側との間に設けられて、カセット本体３１とカセットカバー３２とが垂直ガイド手段を介して箱状に枠組みされる一方、カセットカバー３２が垂直ガイド手段に沿ってカセット本体３１から取り外し自在に構成されれば良いものである。尚、上記した垂直ガイド手段は、カセット本体３１に対してカセットカバー３２の前後左右の位置を規制しつつカセットカバー３２の垂直移動を許容する機能を備えていればいかなる構造でも良い。
【符号の説明】
【００９４】
１０…カード記録装置、
１１…外装筐体、１１ａ…右側板、
１１ｂ…カセット装着台、１１ｃ…側板、
１１ｄ，１１ｅ…左右一対の垂直ガイド壁、
１３…ピックアップローラ、
２０…エンコーダ部、２２…プリント部、
３０…カード収納カセット、
３１…カセット本体、
３１ａ…底板、３１ａ１…開口部、
３１ｂ…前側板、３１ｂ１…カード引き出し口、３１ｂ２…係止孔、
３１ｃ，３１ｄ…左右一対の左側板，右側板
３１ｅ，３１ｆ…左右一対の凸状垂直ガイド壁、
３１ｇ，３１ｈ…垂直ガイド手段（左右一対の凹状垂直ガイド溝）、
３２…カセットカバー、
３２ａ…天板、３２ａ１…凹状有底開口孔、
３２ｂ…後側板、
３２ｃ，３２ｄ…左右一対の左側板，右側板、
３２ｅ，３２ｆ…垂直ガイド手段（左右一対の凸状垂直ガイド壁）、
３２ｇ１，３２ｈ１…左右一対の凹状垂直ガイド溝、
３２ｇ２，３２ｈ２…左右一対の垂直ガイド溝、
４０…ロック手段兼ロック解除手段、４１…スライド部材（ロック兼ロック解除部材）、
５０…錘手段、５１…錘、
Ｃ…カード、Ｃａ…カード面。
【図１】
0004359903.tif 000002
【図２】
0004359903.tif 000003
【図３】
0004359903.tif 000004
【図４】
0004359903.tif 000005
【図５】
0004359903.tif 000006
【図６】
0004359903.tif 000007
【図７】
0004359903.tif 000008
【図８】
0004359903.tif 000009
【図９】
0004359903.tif 000010
【図１０】
0004359903.tif 000011
【図１１】
0004359903.tif 000012
【図１２】
0004359903.tif 000013